(57)【要約】      （修正有）【課題】複数の断熱板を用いて底面や側面を構成した簡易な構成であっても内部の気密性を確保することができる保冷箱を提供する。【解決手段】天面が開閉自在に構成された外装箱１０と、外装箱１０に収容された内装箱２０と、内装箱２０に収容されたインナーボックス３０とを有する保冷箱１であって、内装箱２０は、互いに独立した断熱板によって複数の側面及び底面をそれぞれ構成し、複数の側面及び底面それぞれの境界にて、２つの断熱板のうち一方の断熱板の端面が他方の断熱板に当接して箱体となり、インナーボックス３０は、非通気性部材からなり、内装箱２０の複数の側面及び底面に沿う形状を有し、前記境界に対向する辺部が、非通気性部材が折り曲げられることで構成されている。【選択図】図１
2017044352.tif 000002
【特許請求の範囲】
【請求項１】
天面が開閉自在に構成された外装箱と、該外装箱に収容された内装箱と、該内装箱に収容されたインナーボックスとを有する保冷箱であって、
前記内装箱は、互いに独立した断熱板によって底面及び複数の側面をそれぞれ構成し、前記底面及び複数の側面それぞれの境界にて、２つの断熱板のうち少なくとも一方の断熱板の端面が他方の断熱板に当接して箱体となり、
前記インナーボックスは、非通気性部材からなり、前記内装箱の底面及び複数の側面に沿う形状を有し、前記境界に対向する辺部が、前記非通気性部材が接合または折り曲げられることで構成されている保冷箱。
【請求項２】
天面が開閉自在に構成された外装箱と、該外装箱に収容された内装箱と、該内装箱に収容されたインナーボックスとを有する保冷箱であって、
前記内装箱は、互いに独立した断熱板によって底面及び複数の側面をそれぞれ構成し、前記底面及び複数の側面それぞれの境界にて、２つの断熱板のうち少なくとも一方の断熱板の端面が他方の断熱板に当接して箱体となり、
前記インナーボックスは、非通気性部材からなり、該非通気性部材が前記内装箱の底面及び複数の側面に沿う形状に成型されることで構成されている保冷箱。
【請求項３】
請求項１または請求項２に記載の保冷箱において、
前記断熱板は、２０ｍｍ以上の厚さを有するウレタンボードからなり、
前記インナーボックスを構成する非通気性部材は、１０ｍｍ以下の厚さの合成樹脂シートである保冷箱。
【発明の詳細な説明】
【技術分野】
【０００１】
本発明は、物品を収容して保冷する保冷箱に関し、特に、廉価な構成としながらも内部の気密性を確保する技術に関する。
【背景技術】
【０００２】
近年、物流システムにおいては、物品を低温で輸送するサービスが、陸送、空輸を問わず提供されている。物品を低温で輸送する場合は、例えば、断熱性を有する保冷箱に物品とともに保冷材を収納し、この保冷材の冷気によって物品を保冷しながら輸送することが考えられる。また、倉庫内にて物品を低温で保管する場合も同様に、断熱性を有する保冷箱に物品とともに保冷材を収納し、保冷材の冷気によって物品を保冷しながら保管することが考えられる。このような保冷箱としては、箱型に成型された発泡スチロールからなるものが一般的に利用されている（例えば、特許文献１参照）。
【０００３】
ところで、上述したような保冷箱の製造コストの低減を図るための１つの手段として、成型された発泡スチロールを用いるのではなく、一定の厚さを具備する複数の断熱板を用い、この断熱板によって保冷箱の底面及び複数の側面を構成することが考えられる。その場合、断熱板を縦横に組み合わせるだけで保冷箱を構成することになるため、発泡スチロールを箱型に成型する必要がなくなり、それにより、製造コストを低減することができる。
【先行技術文献】
【特許文献】
【０００４】
【特許文献１】特開２０００−３４６５１４号公報
【発明の概要】
【発明が解決しようとする課題】
【０００５】
複数の断熱板を組み合わせて保冷箱を構成する場合、上述したように、保冷箱の底面及び複数の側面のそれぞれを断熱板で構成し、底面及び複数の側面それぞれの境界にて、２つの断熱板のうち少なくとも一方の断熱板の端面を他方の断熱板に当接させて箱体とすることになる。
【０００６】
ところが、断熱板は断熱性を確保するために一定の厚さを具備しているため、２つの断熱板のうち少なくとも一方の断熱板の端面を他方の断熱板に当接させただけでは、２つの断熱板の当接部分に隙間が生じる可能性がある。そのため、２つの断熱板の当接部分に生じた隙間から保冷箱の内部の冷気が外部に逃げてしまい、気密性が確保されずに保冷効果が低減してしまうという問題点がある。
【０００７】
本発明は、上述したような従来の技術が有する問題点に鑑みてなされたものであって、複数の断熱板を用いて底面や側面を構成した簡易な構成であっても内部の気密性を確保することができる保冷箱を提供することを目的とする。
【課題を解決するための手段】
【０００８】
上記目的を達成するために本発明は、
天面が開閉自在に構成された外装箱と、該外装箱に収容された内装箱と、該内装箱に収容されたインナーボックスとを有する保冷箱であって、
前記内装箱は、互いに独立した断熱板によって底面及び複数の側面をそれぞれ構成し、前記底面及び複数の側面それぞれの境界にて、２つの断熱板のうち少なくとも一方の断熱板の端面が他方の断熱板に当接して箱体となり、
前記インナーボックスは、非通気性部材からなり、前記内装箱の底面及び複数の側面に沿う形状を有し、前記境界に対向する辺部が、前記非通気性部材が接合または折り曲げられることで構成されている。
【０００９】
上記のように構成された本発明においては、外装箱に収容された内装箱が、その底面及び複数の側面のそれぞれが互いに独立した断熱板によって構成されているものの、底面及び複数の側面それぞれの境界にて、２つの断熱板のうち少なくとも一方の断熱板の端面が他方の断熱板に当接して箱体となっているため、特に、断熱板が断熱性を確保するために一定の厚さを具備している場合、２つの断熱板の当接部分に隙間が生じる可能性がある。ところが、この内装箱に、内装箱の底面及び複数の側面に沿う形状を有し、非通気性部材からなるインナーボックスが収容され、このインナーボックスの、内装箱の底面及び複数の側面それぞれの境界に対向する辺部が、非通気性部材が接合または折り曲げられることで構成されているので、被保冷物や保冷材をインナーボックス内に収納した場合、内部の冷気がインナーボックスにて遮断され、内装箱を構成する複数の断熱板の隙間から外部に流出することがなく、また、外気が断熱板の隙間から入り込んだとしても、インナーボックスにて遮断され、それにより、内部の気密性が確保されることになる。
【００１０】
このように、断熱性を確保するための内装箱が、その底面及び複数の側面のそれぞれを断熱板で構成し、底面及び複数の側面それぞれの境界にて、２つの断熱板のうち少なくとも一方の断熱板の端面が他方の断熱板に当接して箱体となるという簡易な構成であっても、内装箱に収容されたインナーボックスによって内部の気密性が確保されることになる。
【００１１】
また、天面が開閉自在に構成された外装箱と、該外装箱に収容された内装箱と、該内装箱に収容されたインナーボックスとを有する保冷箱であって、
前記内装箱は、互いに独立した断熱板によって底面及び複数の側面をそれぞれ構成し、前記底面及び複数の側面それぞれの境界にて、２つの断熱板のうち少なくとも一方の断熱板の端面が他方の断熱板に当接して箱体となり、
前記インナーボックスは、非通気性部材からなり、該非通気性部材が前記内装箱の底面及び複数の側面に沿う形状に成型されることで構成されている。
【００１２】
上記のように構成された本発明においては、内装箱に、非通気性部材からなるインナーボックスが収容され、このインナーボックスが、非通気性部材が内装箱の底面及び複数の側面に沿う形状に成型されることで構成されているので、被保冷物や保冷材をインナーボックス内に収納した場合、内部の冷気がインナーボックスにて遮断され、内装箱を構成する複数の断熱板の隙間から外部に流出することがなく、また、外気が断熱板の隙間から入り込んだとしても、インナーボックスにて遮断され、それにより、内部の気密性が確保されることになる。
【００１３】
このように、断熱性を確保するための内装箱が、その底面及び複数の側面のそれぞれを断熱板で構成し、底面及び複数の側面それぞれの境界にて、２つの断熱板のうち少なくとも一方の断熱板の端面が他方の断熱板に当接して箱体となるという簡易な構成であっても、内装箱に収容されたインナーボックスによって内部の気密性が確保されることになる。
【００１４】
なお、このような断熱板は、２０ｍｍ以上の厚さを有するウレタンボードからなり、
インナーボックスを構成する非通気性部材は、１０ｍｍ以下の厚さの合成樹脂シートであることが考えられる。
【００１５】
また、上記構成において、前記インナーボックスが、前記辺部にて前記非通気性部材が折り曲げられ、前記内装箱の底面及び複数の側面のうち少なくとも１つに対向する領域に、前記非通気性部材が重ね合わされた重ね合わせ部を有する構成とすることも考えられる。
【発明の効果】
【００１６】
本発明によれば、断熱性を確保するための内装箱が、その底面及び複数の側面のそれぞれを断熱板で構成し、底面及び複数の側面それぞれの境界にて、２つの断熱板のうち少なくとも一方の断熱板の端面が他方の断熱板に当接して箱体となるという簡易な構成であっても、内装箱に収容されたインナーボックスによって内部の気密性を確保することができる。
【図面の簡単な説明】
【００１７】
【図１】本発明の保冷箱の実施の一形態を示す図であり、（ａ）は蓋部が開口した状態の外観斜視図、（ｂ）は（ａ）に示したＡ−Ａ’断面図である。
【図２】図１に示した保冷箱における外装箱、内装箱及びインナーボックスの互いの収容形態を説明するための図である。
【図３】図１及び図２に示したインナーボックスの詳細な構成を示す図であり、（ａ）はインナーボックスが組み立てられる前の構成を示す展開図、（ｂ）及び（ｃ）はインナーボックスが組み立てられていく際の状態を示す外観斜視図である。
【図４】図３に示したようにして組み立てられたインナーボックスが内装箱に収容された状態を示す外観斜視図である。
【図５】図１〜図４に示した保冷箱１に被保冷物が収納された状態を天面から見た図である。
【図６】本発明の保冷箱に用いられる内装箱の他の実施の形態を示す図である。
【発明を実施するための形態】
【００１８】
以下に、本発明の実施の形態について図面を参照して説明する。
【００１９】
図１は、本発明の保冷箱の実施の一形態を示す図であり、（ａ）は蓋部が開口した状態の外観斜視図、（ｂ）は（ａ）に示したＡ−Ａ’断面図である。なお、（ｂ）においては蓋部１２の断面も示している。図２は、図１に示した保冷箱１における外装箱１０、内装箱２０及びインナーボックス３０の互いの収容形態を説明するための図である。図３は、図１及び図２に示したインナーボックス３０の詳細な構成を示す図であり、（ａ）はインナーボックス３０が組み立てられる前の構成を示す展開図、（ｂ）及び（ｃ）はインナーボックス３０が組み立てられていく際の状態を示す外観斜視図である。
【００２０】
本形態は図１及び図２に示すように、外装箱１０内に内装箱２０及びインナーボックス３０が収容されて構成された保冷箱１である。
【００２１】
外装箱１０は、例えばプラスチック段ボールからなり、天面が開放された箱部１１と、箱部１１の天面を開閉自在とする蓋部１２とから構成されている。蓋部１２には、その内面に、一定の厚みを有するウレタンボードからなる断熱板１６が嵌め込まれおり、このウレタンボードの表裏にはアルミシート１３が貼り付けられている。また、断熱板１６の箱部１１側のアルミシート１３上には、発泡ポリエチレンからなる蓋パッキン１４がその周縁部に沿って取り付けられている。箱部１１は、底面１５上に４つの側面１１ａ〜１１ｄが起立して構成されている。
【００２２】
内装箱２０は、互いに独立した４つの断熱板２１ａ〜２１ｄによって４つの側面をそれぞれ構成するとともに、断熱板２１ａ〜２１ｄとは独立した断熱板２２によって底面を構成し、外装箱１０に収容されている。これら断熱板２１ａ〜２１ｄ，２２は、例えば３０ｍｍの厚さを有するウレタンボードからなり、その表裏にアルミシート（不図示）が貼り付けられている。内装箱２０の側面を構成する断熱板２１ａ〜２１ｄのそれぞれは、底面を構成する断熱板２２の一方の面の端辺に沿う領域にそれぞれ起立しており、それにより、それぞれの端面が断熱板２２に当接している。また、内装箱２０の側面を構成する断熱板２１ａ〜２１ｄのうち、互いに対向する断熱板２１ｂ，２１ｄは、断熱板２２に当接する端面に隣接する端面がそれぞれ断熱板２１ａ，２１ｃの内側の面の端辺に沿う領域に当接している。このように、内装箱２０の側面を構成する断熱板２１ａ〜２１ｄのそれぞれの端面の１つが、断熱板２２の一方の面の端辺に沿う領域に当接するとともに、内装箱２０の側面を構成する断熱板２１ａ〜２１ｄのうち、互いに対向する断熱板２１ｂ，２１ｄの端面がそれぞれ断熱板２１ａ，２１ｃの内側の面の端辺に沿う領域に当接することで、内装箱２０の底面及び４つの側面それぞれの境界にて、２つの断熱板の一方の端面が他方の断熱板の端辺に沿う領域に当接して収納部２を有する箱体を構成している。この際、断熱板２１ａ，２１ｃそれぞれの３つの端面、断熱板２１ｂ，２１ｄそれぞれの１つの端面及び断熱板２２の全ての端面が表出することになるが、断熱板２１ａ〜２１ｄ，２２がその端面から水分が入り込みやすいものである場合、表出した端面を、耐水性を有するテープで覆うことが好ましい。なお、断熱板２１ａ〜２１ｄ，２２の厚さは、３０ｍｍに限らないが、２０ｍｍ以上であることが好ましい。
【００２３】
インナーボックス３０は、図２及び図３に示すように、例えば０．５ｍｍの厚さの非通気性部材である合成樹脂シートから底面３２及び４つの側面３１ａ〜３１ｄが構成され、これらが組み立てられて箱体となっている。これら底面３２及び４つの側面３１ａ〜３１ｄが組み立てられた状態では、内装箱２０の底面及び側面に沿う形状を有し、内装箱２０の内部に嵌まり込んで収容されている。側面３１ａ〜３１ｄのそれぞれは、１つの辺にて底面３２と連接し、底面３２との連接辺とは反対側の辺に、内装箱２０の側面を構成する断熱板２１ａ〜２１ｄの厚さと同等の幅を有する縁部３３ａ〜３３ｄが連接している。また、４つの側面３１ａ〜３１ｄのうち、互いに対向する側面３１ｂ，３１ｄのそれぞれは、底面３２との連接辺に隣接する２つの辺に、一定の幅を有する重ね代部３４ａ〜３４ｄが連接している。なお、インナーボックス３０の厚さは、０．５ｍｍに限らないが、１０ｍｍ以下であることが好ましい。
【００２４】
このように構成されたインナーボックス３０は、図３（ｂ）に示すように、底面３２と側面３１ａ〜３１ｄの境界で合成樹脂シートが折り曲げられた上で、重ね代部３４ａ，３４ｄが側面３１ａの外側の一部を覆うように側面３１ｂ，３１ｄと重ね代部３４ａ，３４ｄとの境界で合成樹脂シートが折り曲げられるとともに、重ね代部３４ｂ，３４ｃが側面３１ｃの外側の一部を覆うように側面３１ｂ，３１ｄと重ね代部３４ｂ，３４ｃとの境界で合成樹脂シートが折り曲げられる。また、側面３１ａ〜３１ｄと縁部３３ａ〜３３ｄとの境界で縁部３３ａ〜３３ｄが外側に倒れるように合成樹脂シートが折り曲げられる。その後、図３（ｃ）に示すように、重ね代部３４ａ〜３４ｄの側面３１ｂ，３１ｄとの連接辺とは反対側の辺を覆うようにテープ３６がそれぞれ貼り付けられ、重ね代部３４ａ〜３４ｄが側面３１ａ，３１ｃに貼り付けられる。インナーボックス３０がこのように組み立てられて内装箱２０に収容されることにより、内装箱２０の側面を構成する断熱板２１ａ〜２１ｄの境界が、インナーボックス３０の４つの側面３１ａ〜３１ｄの境界となる辺部３５ａ〜３５ｄに対向することになるが、この辺部３５ａ〜３５ｄは、側面３１ｂ，３１ｄと重ね代部３４ａ〜３４ｄとの連接辺にて合成樹脂シートが折り曲げられることで構成されている。また、内装箱２０の底面を構成する断熱板２２と側面を構成する断熱板２１ａ〜２１ｄとの境界においても、インナーボックス３０の底面３２と側面３１ａ〜３１ｄとの境界となる辺部に対向することになるが、この辺部は、側面３１ａ〜３１ｄと底面３２との連接辺にて合成樹脂シートが折り曲げられることで構成されている。
【００２５】
図４は、図３に示したようにして組み立てられたインナーボックス３０が内装箱２０に収容された状態を示す外観斜視図である。
【００２６】
上記のようにして組み立てられたインナーボックス３０は、内装箱２０に収容された後、図４に示すように、断熱板２１ａ〜２１ｄの端面上に重なった縁部３３ａ〜３３ｄを覆うようにテープ３７ａ〜３７ｄが貼り付けられることで、内装箱２０に固定されることになる。なお、テープ３７ａ〜３７ｄは、縁部３３ａ〜３３ｄ上の４つの角部のみに貼り付けることでインナーボックス３０を内装箱２０に固定することができるが、図４に示すように縁部３３ａ〜３３ｄの全てを覆うようにテープ３７ａ〜３７ｄが貼り付けることで、テープ３７ａ〜３７ｄが剥がれにくくなり、内装箱２０にインナーボックス３０をより強固に固定することができる。この際、内装箱２０の側面を構成する断熱板２１ａ〜２１ｄのうち断熱板２１ａに対向する一部の領域に、インナーボックス３０の側面３１ａと重ね代部３４ａ，３４ｄとの合成樹脂シートが重ね合わされた重ね合わせ部が存在し、また、断熱板２１ｃに対向する一部の領域に、インナーボックス３０の側面３１ｃと重ね代部３４ｂ，３４ｃとの合成樹脂シートが重ね合わされた重ね合わせ部が存在することになる。
【００２７】
以下に、上記のように構成された保冷箱１の使用方法及びその作用について説明する。
【００２８】
図５は、図１〜図４に示した保冷箱１に被保冷物が収納された状態を天面から見た図である。なお、図５においては、保冷箱１の効果をわかりやすく示すために縁部３３ａ〜３３ｄの図示を省略している。
【００２９】
図１〜図４に示した保冷箱１を用いて被保冷物である物品４を保冷する場合は、図５に示すように、保冷箱１の収納部２に物品４を収納するとともに、物品４を取り囲むように保冷材３を収納部２に収納する。そして、蓋部１２を閉じることで物品４を保冷する。
【００３０】
蓋部１２が閉じられると、蓋部１２の内側に取り付けられた蓋パッキン１４がインナーボックス３０の縁部３３ａ〜３３ｄに当接し、それにより、蓋部１２とインナーボックス３０との間における気密性が確保され、保冷効果を得ることができる。また、蓋部１２に取り付けられた断熱板１６によっても断熱性が確保されて保冷効果が得られることとなる。
【００３１】
また、箱部１１側においては、外装箱１０に収容された内装箱２０が、その４つの側面及び底面のそれぞれが互いに独立した断熱板２１ａ〜２１ｄ，２２によって構成されていることによって断熱性が確保されて保冷効果を得ることができるものの、上述したように内装箱２０の４つの側面及び底面それぞれの境界にて、２つの断熱板の一方の断熱板の端面が他方の断熱板に当接して箱体となっていることにより、２つの断熱板の当接部分に隙間が生じる可能性がある。特に、断熱板２１ａ〜２１ｄが、断熱性を確保するために本形態のように一定の厚さを具備している場合、隙間が生じる可能性が高くなる。その場合、外装箱１０がプラスチック段ボールのように気密性があまり優れていないものである場合、外気が隙間から保冷箱１内に入り込んだり、保冷箱１の内部の冷気が隙間から外部に流出したりして、保冷効果が低減してしまう虞れが生じる。
【００３２】
そこで、本形態における保冷箱１においては、内装箱２０に、非通気性部材となる合成樹脂シートからなるインナーボックス３０が収容されており、このインナーボックス３０において、上述したように、内装箱２０にて隙間が生じる可能性がある断熱板の境界に対向する辺部が、合成樹脂シートが折り曲げられて構成されている。そのため、図５に示すように、収納部２の冷気はインナーボックス３０にて遮断され、また、内装箱２０の断熱板２１ａ〜２１ｄ，２２の隙間から外気が入り込んだとしても入り込んだ外気はインナーボックス３０にて遮断され、収納部２の気密性が確保されることになる。
【００３３】
このように本形態においては、断熱性を確保するための内装箱２０が、その複数の側面及び底面のそれぞれを断熱板２１ａ〜２１ｄ，２２で構成し、複数の側面及び底面それぞれの境界にて、２つの断熱板のうち一方の断熱板の端面が他方の断熱板に当接して箱体となるという簡易な構成であっても、内装箱２０に収容されたインナーボックス３０によって内部の気密性が確保されることになる。その結果、保冷箱１の収納部２に被保冷物となる物品４を保冷材３とともに収納した場合、保冷材３による保冷効果を十分得ることができ、物品４を確実に保冷することができる。
【００３４】
なお、本形態においては、底面３２と側面３１ａ〜３１ｄの境界で合成樹脂シートが折り曲げられた上で、重ね代部３４ａ，３４ｄが側面３１ａの外側の一部を覆うように側面３１ｂ，３１ｄと重ね代部３４ａ，３４ｄとの境界で合成樹脂シートが折り曲げられるとともに、重ね代部３４ｂ，３４ｃが側面３１ｃの外側の一部を覆うように側面３１ｂ，３１ｄと重ね代部３４ｂ，３４ｃとの境界で合成樹脂シートが折り曲げられ、重ね代部３４ａ〜３４ｄの側面３１ｂ，３１ｄとの連接辺とは反対側の辺を覆うようにテープ３６がそれぞれ貼り付けられ、重ね代部３４ａ〜３４ｄが側面３１ａ，３１ｃに貼り付けられており、それにより、インナーボックス３０の４つの辺部３５ａ〜３５ｄが、側面３１ｂ，３１ｄと重ね代部３４ａ〜３４ｄとの連接辺にて合成樹脂シートが折り曲げられることで構成されているが、４つの側面２１ａ〜２１ｄが溶着等の手段によって辺部３５ａ〜３５ｄにて接合した構成であっても、同様の効果を奏することができる。また、インナーボックス３０の底面３２と側面３１ａ〜３１ｄとの境界からなる辺部においても同様に、底面３２と側面３１ａ〜３１ｄとを溶着等の手段によって接合した構成としてもよい。
【００３５】
また、インナーボックス３０を、合成樹脂シート等の非通気性部材を内装箱２０の側面２１ａ〜２１ｄ及び底面２２に沿う形状に成型することで構成しても、上記同様の効果を奏することができる。
【００３６】
また、収納部２に収納する物品４としては、様々なものが考えられ、食品等の他に、血液等の検体であってもよい。その場合、収納部２の形状に応じた容器に検体を保持し、収納部２に収納することが考えられるが、その容器自体も発泡ポリエチレン等の断熱性を有する材料からなるものを用いてもよい。
【００３７】
（他の実施の形態）
図６は、本発明の保冷箱に用いられる内装箱の他の実施の形態を示す図であり、天面から見た図である。
【００３８】
上述した実施の形態において示した内装箱２０は、内装箱２０の側面を構成する断熱板２１ａ〜２１ｄのうち、互いに対向する断熱板２１ｂ，２１ｄの端面がそれぞれ断熱板２１ａ，２１ｃの内側の面の端辺に沿う領域に当接することで、内装箱２０の底面及び４つの側面それぞれの境界にて、２つの断熱板の一方の端面が他方の断熱板の端辺に沿う領域に当接して収納部２を有する箱体を構成しているが、図６に示すように、側面を構成する断熱板１２１ａ〜１２１ｄの端面をそれぞれ斜めに形成し、これらの端面がそれぞれ、交差する断熱板１２１ａ〜１２１ｄの端面に当接することで、内装箱の４つの側面それぞれの境界にて、２つの断熱板の一方の端面が他方の端面に当接して収納部を有する箱体を構成する構成としてもよい。またその際、内装箱の底面を構成する断熱板１２２の端面についても斜めに形成し、側面を構成する断熱板１２１ａ〜１２１ｄのそれぞれの端面に当接する構成とすることが考えられる。
【００３９】
その場合、内装箱の複数の側面及び底面を構成する断熱板１２１ａ〜１２１ｄ，１２２の端面が表出しないため、断熱板１２１ａ〜１２１ｄ，１２２がその端面から水分が入り込みやすい材料からなるものであっても、水分が入り込みにくくすることができる。
【符号の説明】
【００４０】
１    保冷箱
２    収納部
３    保冷材
４    物品
１０    外装箱
１１    箱部
１１ａ〜１１ｄ，３１ａ〜３１ｄ    側面
１２    蓋部
１３    アルミシート
１４    蓋パッキン
１５    底面
１６，２１ａ〜２１ｄ，２２，１２１ａ〜１２１ｄ，１２２    断熱板
３０    インナーボックス
３２    底面
３３ａ〜３３ｄ    縁部
３４ａ〜３４ｄ    重ね代部
３５ａ〜３５ｄ    辺部
３６，３７ａ〜３７ｄ    テープ
【図１】
2017044352.tif 000003
【図２】
2017044352.tif 000004
【図３】
2017044352.tif 000005
【図４】
2017044352.tif 000006
【図５】
2017044352.tif 000007
【図６】
2017044352.tif 000008